(57)【要約】【課題】裏写りによる原稿種処理の誤判定を改善し、どんな原稿であっても精度良く原稿種判定が行われる裏写り除去機能を有するカラー画像処理装置、カラー画像処理方法およびプログラムを提供する。【解決手段】紙の両面にカラー印刷された原稿の片面をデジタル入力して得られるデジタル原画像に対して、エッジ強度検出とカラー閾値処理に基づいて、先に裏写り成分を除去し、後から裏写り成分を除去した画像データを使用して、原稿種判定処理を行うことを特徴とする。【選択図】　　　　図１
2004104448.tif 000002
【特許請求の範囲】
【請求項１】
原稿の裏写り成分を除去する裏写り成分除去手段と、
前記原稿の種類を判定する原稿種判定手段とを有し、
紙の両面に印刷された前記原稿の片面をデジタル入力して得られるデジタル原画像に対して、エッジ強度検出とカラー閾値処理に基づいて裏写り成分を除去し、前記裏写り成分を除去した画像データを使用して、原稿種判定処理を行うことを特徴とするカラー画像処理装置。
【請求項２】
原稿の裏写り成分を除去する裏写り成分除去処理と、
前記原稿の種類を判定する原稿種判定処理とを行い、
紙の両面に印刷された前記原稿の片面をデジタル入力して得られるデジタル原画像に対して、エッジ強度検出とカラー閾値処理に基づいて、最初に裏写り成分を除去し、次に前記裏写り成分を除去した画像データを使用して、原稿種判定処理を行うことを特徴とするカラー画像処理方法。
【請求項３】
ユーザが、前記原稿種判定処理を行う前の裏写り成分除去処理を行うか否かについて、事前に選択できることを特徴とする請求項２記載のカラー画像処理方法。
【請求項４】
前記裏取り成分除去処理を行う場合において、ユーザが前記裏写り成分除去処理の強度について、事前に選択できることを特徴とする請求項３記載のカラー画像処理方法。
【請求項５】
前記裏写り成分除去処理において、ユーザにより選択された原稿種別情報によって、裏写り補正処理のエッジ強度検出閾値およびカラー閾値の補正係数を切り替えることを特徴とする請求項３または４記載のカラー画像処理方法。
【請求項６】
原稿の裏写り成分を除去する裏写り成分除去処理と、
前記原稿の種類を判定する原稿種判定処理とを行い、
紙の両面に印刷された前記原稿の片面をデジタル入力して得られるデジタル原画像に対して、エッジ強度検出とカラー閾値処理に基づいて裏写り成分を除去し、前記裏写り成分を除去した画像データを使用する原稿種判定処理をコンピュータに実行させるためのプログラム。
【発明の詳細な説明】
【０００１】
【発明の属する技術分野】
本発明は、裏写り除去機能を有するカラー画像処理装置、カラー画像処理方法およびプログラムに関する。
【０００２】
【従来の技術】
従来におけるカラー複写機等の画像処理装置および画像処理方法においては、多様化する原稿を高画質に再生するために、複数の処理モードを有し、原稿種に応じて該処理モードをユーザが選択することにより、処理を切り替える原稿種判定処理を行うものがある。最近では、ユーザではなく画像処理装置自体が、スキャン時に原稿の特徴をもとに種類を判定し、判定結果に応じて処理を切り替える原稿種判定処理を行う画像処理装置および画像処理方法が一般的である。
【０００３】
また、上述の原稿種判定処理とともに、両面印刷されたカラー原稿の複写時に起こる裏写りを除去する裏写り除去処理を行う画像処理装置および画像処理方法も一般的である。
【０００４】
本発明に類似する従来技術例としては、３種類以上の原稿種を判定可能とし、該原稿種判定の誤認識を低減させる画像処理方法がある（例えば、特許文献１参照）。また、プレスキャン時に原稿が地図であるか否かを判定し、地図原稿であれば、本スキャン時に該地図原稿にあった処理を行う画像処理方法もある（例えば、特許文献２参照）。また、裏写り除去処理についての従来技術例としては、両面印刷されたカラー原稿の片面の画像情報だけを用いて裏写り除去をする画像処理方法がある（例えば、特許文献３参照）。
【０００５】
【特許文献１】
特開１０―２９４８６０号公報（第１−２頁、図１）
【特許文献２】
特開平９−６５１４３号公報（第１−３頁、図１）
【特許文献３】
特開２００１−１６９０８０号公報（第１−６頁、図２）
【０００６】
【発明が解決しようとする課題】
しかしながら、上述した従来の画像処理方法における原稿種判定処理は、原稿の読み取り面に文字画像、裏面に写真画像がカラー印刷されているような両面印刷原稿の場合、裏写りによって読み取り面の画像が写真画像と誤判定される場合がある。
【０００７】
また、読み取り原稿は、原稿の紙質、厚さ、種類等によって裏写りしやすいかそうでないかが違ってくるので、原稿の裏写りの程度について考慮に入れず、どんな原稿に対しても常に一定の強度の裏写り除去処理を行うと、全く裏写りしない原稿に対しても、裏写り除去処理を行ってしまうことがあり、逆に原稿種を誤判定されてしまう可能性がある。
【０００８】
また、前記特許文献１および２の従来技術例における画像処理方法は、原稿のスキャン時に原稿種判定処理を行うため、裏写りする両面印刷のカラー原稿の場合には、原稿種を誤判定する可能性がある。また、前記特許文献３の画像処理方法は、裏写り除去処理後に原稿種判定処理を行わない。
【０００９】
以上のことから、裏写り除去処理と原稿種判定処理の両方を可能とし、印刷する原稿に応じて、裏写り除去処理の有無および裏写り除去処理の各設定をユーザが選択でき、裏写り除去処理後の画像データを利用して原稿種判定を行うことにより、誤判定を減少させ、どんな原稿に対しても高精度の原稿種判定処理を行うカラー画像処理装置、カラー画像処理方法および同方法を実行させるためのプログラムを記録した記録媒体が望まれる。
【００１０】
本発明は、上記事情に鑑みてなされたものであり、原稿種を認識し、該認識結果に応じて、印刷処理を切り替える画像処理装置および画像処理方法に関し、裏写りによる原稿種処理の誤判定を改善し、どのような原稿であっても精度良く原稿種判定が行われる裏写り除去機能を有するカラー画像処理装置、カラー画像処理方法および同方法を実行させるためのプログラムを記録した記録媒体を提供することを目的とする。
【００１１】
【課題を解決するための手段】
かかる目的を達成するために、請求項１記載のカラー画像処理装置は、原稿の裏写り成分を除去する裏写り成分除去手段と、原稿の種類を判定する原稿種判定手段とを有し、紙の両面にカラー印刷された原稿の片面をデジタル入力して得られるデジタル原画像に対して、エッジ強度検出とカラー閾値処理に基づいて、先に裏写り成分を除去し、除去処理後に裏写り成分除去済みの画像データを使用して、原稿種判定処理を行うことを特徴としている。
【００１２】
請求項２記載のカラー画像処理方法は、原稿の裏写り成分を除去する裏写り成分除去処理と、原稿の種類を判定する原稿種判定処理とを行い、紙の両面にカラー印刷された前記原稿の片面をデジタル入力して得られるデジタル原画像に対して、エッジ強度検出とカラー閾値処理に基づいて、まず先に裏写り成分を除去し、除去処理後に裏写り成分除去済みの画像データを使用して、原稿種判定処理を行うことを特徴としている。
【００１３】
請求項３記載のカラー画像処理方法は、請求項２記載のカラー画像処理方法において、ユーザが原稿種判定処理に先立って行われる裏写り成分除去処理を行うか否かについて読み取り原稿に応じて事前に選択できることを特徴としている。
【００１４】
請求項４記載のカラー画像処理方法は、請求項３記載の裏取り成分除去処理を行う場合において、ユーザが裏写り成分除去処理の強度について、事前に選択できることを特徴としている。
【００１５】
請求項５記載の裏写り成分除去処理は、請求項３または４記載のカラー画像処理方法において、ユーザが選択した原稿種別情報によって、裏写り補正処理のエッジ強度検出閾値およびカラー閾値の補正係数の切り替えを行うことを特徴としている。
【００１６】
請求項６記載のプログラムは、原稿の裏写り成分を除去する裏写り成分除去処理と、原稿の種類を判定する原稿種判定処理とを行うカラー画像処理方法であって、紙の両面にカラー印刷された原稿の片面をデジタル入力して得られるデジタル原画像に対して、エッジ強度検出とカラー閾値処理に基づいて、先に裏写り成分を除去し、除去処理後に裏写り成分除去済みの画像データを使用して、原稿種判定処理をコンピュータに実行させることを特徴としている。
【００１７】
【発明の実施の形態】
以下、本発明の実施の形態について、添付図面を参照しながら詳細に説明する。
【００１８】
まず、図１を参照にしながら、本発明のカラー画像処理方法の大きな流れを説明する。本発明では、最初に読み取り画像データに対して、裏写り成分除去処理を行う（１０１）。そして、裏写り成分を除去した後の画像データに対して、原稿種判定処理を行う（１０２）。ここで、裏写り成分除去処理を行う手段としては、既存の手法である前述特許文献３に記載の方法を使用する。
【００１９】
次に、図２を参照にしながら、本発明のカラー画像処理方法の実施の形態について詳細に説明する。図２は、前記従来技術例の裏写り除去処理の動作手順である。まず、スキャナにて原稿のカラー画像を読み取り、該カラー画像を画像データとして入力する（Ｓ１）。そして、入力カラー画像の解像度を縮小し（Ｓ２）、カラー座標系を独立性が高いものに変換する（Ｓ３）。次に、エッジ強度計算を行い（Ｓ４）、二値化処理によりエッジを検出し（Ｓ５）、エッジ以外の領域に対してカラー閾値処理を行って背景色画像を推定し（Ｓ６）、裏写り除去画像を合成する（Ｓ７）。さらに、エッジ強度計算を行い（Ｓ８）、原画像と裏写り除去画像のエッジ強度からエッジ差分画像を生成し（Ｓ９）、不適切な処理により画像が劣化している個所を検出する（Ｓ１０）。そして、該個所の周囲で処理スケール（ウインドウサイズ）を縮小して処理を再度実行する（Ｓ１１，Ｓ１２）。裏写り除去画像と縮小原画像の差分計算により裏写り部分を同定し（Ｓ１３）、元の解像度の原画像での裏写り部分の除去（Ｓ１４）を行う。
【００２０】
そして、上述の裏写り成分除去処理の終了後、原稿種判定処理方法（１０２）を行う。この原稿種判定処理についても、前述した特許文献２に記載の方法等を使用する。
【００２１】
以上の実施形態についての説明より、本発明では、原稿種判定処理を行う前に原稿の裏写り成分を除去することにより、裏写りによる原稿種判定の誤判定を減少させることができる。
【００２２】
また、図１の裏写り成分除去処理（１０１）において、ユーザが事前に裏写り除去処理の有無、もしくは該除去処理の強度について選択出来る手法でもよい。例えば、カラー複写機等において、コピーをスタートする前に、原稿が裏写りしやすい原稿なのか、もしくは全く裏写りしない原稿なのかによって、裏写り除去処理を行うか否かを選択でき、処理を行う場合には、原稿の裏写り除去処理の程度を選択できるような画面が操作部等に表示され、ユーザは表示された処理の中から原稿に応じて選択できるようになっている。そして、ユーザの選択結果によって、画像処理装置は、図１における裏写り成分除去処理（１０１）を行うことになる。
【００２３】
以上の実施例の場合は、使用する原稿の紙質、厚さ、種類によって裏写りしやすい原稿なのか、そうでないのかにより、その原稿に適した処理方法を選択することができるため、精度のよい原稿種判定処理を行うことができる。
【００２４】
また、図２のように裏写り除去をより適切に行う方式として、ユーザがコピーの事前に選択した原稿種別に応じて、裏写り除去補正に関するエッジ強度スレッシュおよびカラー閾値等の設定値を切り替えて裏写り除去補正を行うことにより、より精度良く裏写り除去処理を行うことができる。
【００２５】
【発明の効果】
以上の説明から明らかなように、請求項１記載のカラー画像処理装置によれば、原稿の裏写り成分を除去する裏写り成分除去手段と、原稿の種類を判定する原稿種判定手段とを有し、紙の両面にカラー印刷された原稿の片面をデジタル入力して得られるデジタル原画像に対して、エッジ強度検出とカラー閾値処理に基づいて、先に裏写り成分を除去し、除去処理後に裏写り成分除去済みの画像データを使用して、原稿種判定処理を行うことを特徴としているので、原稿に適した精度のよい裏写り補正処理を行うことができる。
【００２６】
請求項２記載の画像形成方法によれば、原稿の裏写り成分を除去する裏写り成分除去処理と、原稿の種類を判定する原稿種判定処理とを行い、紙の両面にカラー印刷された前記原稿の片面をデジタル入力して得られるデジタル原画像に対して、エッジ強度検出とカラー閾値処理に基づいて、まず先に裏写り成分を除去し、除去処理後に裏写り成分除去済みの画像データを使用して、原稿種判定処理を行うことを特徴としているので、裏写りの影響を受けることなく、精度のよい原稿種判定処理を行うことができる。
【００２７】
請求項３のカラー画像処理方法によれば、請求項２記載のカラー画像処理方法において、ユーザが、原稿種判定処理における裏写り成分除去処理の有無を選択できることを特徴としているので、原稿に適した原稿種判定処理を行うことができる。
【００２８】
請求項４のカラー画像処理方法によれば、請求項３記載の裏取り成分除去処理を行う場合において、ユーザが裏写り成分除去処理の強度を指定できることを特徴としているので、原稿に適した精度のよい裏写り補正処理を行うことができる。
【００２９】
請求項５記載のカラー画像処理によれば、請求項３または４記載のカラー画像処理方法において、ユーザが操作部で選択した原稿種別に応じ、裏写り処理の判定パラメータを切り替えて裏写り除去処理を行うことを特徴としているので、原稿に適した精度のよい裏写り補正処理を行うことができる。
【００３０】
請求項６記載のプログラムによれば、原稿の裏写り成分を除去する裏写り成分除去処理と、原稿の種類を判定する原稿種判定処理とを行い、紙の両面にカラー印刷された原稿の片面をデジタル入力して得られるデジタル原画像に対して、エッジ強度検出とカラー閾値処理に基づいて、先に裏写り成分を除去し、除去処理後に裏写り成分除去済みの画像データを使用して、原稿種判定処理をコンピュータに実行させることを特徴としているので、原稿に適した精度のよい裏写り補正処理を行うことができる。
【図面の簡単な説明】
【図１】本発明の画像処理装置における画像データの流れを示す図である。
【図２】本発明の実施の形態について動作の流れを示すフローチャートである。
【符号の説明】
１　裏写り成分除去処理
２　原稿種判定処理
【図１】
2004104448.tif 000003
【図２】
2004104448.tif 000004